(57)【特許請求の範囲】
【請求項１】
光源から出力された光を被検物に対し照射する測定光と参照物に照射する参照光とに分割し、被検物からの反射光と参照物からの透過光または反射光を合波して干渉光を生成する光干渉生成手段と、
生成された干渉光を検出器により検出し、検出器による検出結果に基づいて、被検物の断層像を形成する形成手段を備えた光断層計であって、
形成した断層像（Ａスキャンデータ又はＢスキャン像）の深さ方向の所定のピークを検出するピーク検出手段と、
検出したピークの位置および強度に基づいて所定の測定光路長Ｔを算出する測定光路長算出手段と、
干渉光学系の測定光路長と参照光路長が、算出した所定の測定光路長Ｔになるように、またはＴの近値を保つように、測定光路長の制御（Ｚ軸アライメント）と参照光路長の制御（参照ミラー移動）を同時に実施する制御手段を備えた光断層計。
【請求項２】
被検物は人の眼（眼球）である請求項１記載の光断層計。
【請求項３】
所定のピークは、角膜上皮からの反射ピークである請求項２に記載の光断層計。
【請求項４】
所定のピークは、網膜色素上皮からの反射ピークである請求項２に記載の光断層計。
【請求項５】
所定の測定光路長Ｔは角膜の直前の位置までの光路長である請求項３に記載の光断層計。
【請求項６】
所定の測定光路長Ｔは網膜表面の位置までの光路長である請求項４に記載の光断層計。
【請求項７】
所定の測定光路長Ｔは、被検眼の眼軸長情報に基づいて設定する請求項２に記載の光断層計。
【発明の詳細な説明】
【技術分野】
【０００１】
本発明は、光コヒーレンストモグラフィー（ＯＣＴ）を用いて、断層像を取得する、光干渉断層計及びその制御方法に関する。
【背景技術】
【０００２】
光コヒーレンストモグラフィー（ＯＣＴ）は、非侵襲、非接触で測定できることから、眼科における生体組織の高解像度な断層画像を取得する手段として広く使用されている方法である。ＯＣＴでは、１次元の深さ方向（眼球においては、眼軸方向）の測定データをＡスキャンデータ、２次元画像をＢスキャン像、３次元画像をＣスキャン像と通常呼ぶため、以下では、１次元の測定データをＡスキャンデータ、２次元画像をＢスキャン（画）像、３次元画像をＣスキャン（画）像とも記述する。
【０００３】
光コヒーレンストモグラフィー（ＯＣＴ）においては、タイムドメイン方式と呼ばれる、ミラーを動かして参照光の光路長を機械的に変化させながら断層画像取得を行うタイムドメインＯＣＴと、フーリエドメイン方式と呼ばれる、分光器を用いてスペクトル情報を検出し断層画像取得を行うスペクトルドメインＯＣＴ、もしくは、波長走査光源を用いてスペクトル干渉信号を検出し断層画像取得を行う光周波数掃引ＯＣＴとがある。
【０００４】
フーリエドメイン方式のＯＣＴでは、取得するスペクトル干渉信号をフーリエ変換して深さ情報（透過光または反射光の強度信号）を得るため、タイムドメイン方式のようにＯＣＴ撮影時にはミラーを動かして参照光の光路長変化する（これを通常Ａスキャンと言う）操作を必要としない。これにより、タイムドメイン方式のＯＣＴに比べ格段に速い速度で断層画像が取得できる。そのため、近年は、主に、フーリエドメイン方式のＯＣＴが採用されようになっている。
【０００５】
フーリエドメイン方式のＯＣＴでは、ＯＣＴ撮影する際には撮影したい部位（例えば前眼部又は眼底部）に従って測定光路長が決定される。そして、高い計測感度を得るため、測定光路長と参照光路長が等しくなるように、参照光路に配置されたミラーなどを移動して参照光路長を調整して、いわゆるゼロ点調整を実施してからＯＣＴ撮影を行う。尚、ＯＣＴ撮影中は、参照光路長は固定される。
【０００６】
特許文献１には、ＯＣＴを用いた眼科観察装置であり、計測光学系（測定光学系）が光軸方向へ移動されたときに、その移動した距離に実質的に等しい光学的距離だけ、測定光および／または参照光の光路長を変更する制御することにより、例えば、計測感度が最大となる測定光路長と参照光路長とが等しい状態の維持が可能となり、画質の低下を防止できることが開示されている。
【先行技術文献】
【特許文献】
【０００７】
【特許文献１】特開２０１４−１４０５４２号公報
【発明の開示】
【発明が解決しようとする課題】
【０００８】
測定光路長は被検眼により異なるため、測定感度が高い位置を探索する必要がある。光軸調整（Ｚアライメント）を行い、測定位置が決まったら、その状態で測定光路長を決定し、決定した測定光路長に等しくなるように参照光路長を変更するという手順で実施することが通例である。
【０００９】
ところが、この方法では測定時間が長くなる要因をはらんでいる。つまり、ＯＣＴで取得される断層像の深さ幅（検出窓ともいう）が限られているため、光軸調整（Ｚアライメント）後に、目的とする断層像が現れるとは限らない。その過程では参照光路長の長短の状況が不明であるので、断層像の位置を探索する時に、ゼロ点調整方向とは逆向きに変化することもあり、計測時間が長くなる要因になっている。
【００１０】
また、ＯＣＴにおいては虚像が発生することが知られており、目的とする断層像と類似したものが現れたときには、それが妥当なものであるか適切な判断を必要とする。たとえば、検出窓よりも深い位置の断層像は、信号処理によるエイリアシングによる弱い像が現れる。目的の断層像かエイリアシングのような虚像かを判断するには参照光路長を変化させながら、より強い強度の断層像が検出されるか探索する必要があり、このことも計測時間が長くなる要因にもなっているのである。
【００１１】
さらに、このような探索の結果、いったん検出窓において検出した目的の断層像を見失うことや、光軸調整（Ｚアライメント）した位置が最適でなかったと判断されることもある。その場合には、元の手順に戻る必要もあり、計測時間がさらに長くなってしまうという要因にもなるのである。
【００１２】
しかしながら、特許文献１に係る方法は、計測感度が最大となる測定光路長と参照光路長とが等しい状態を維持する方法を開示したものであり、計測感度が最大となる測定光路長と参照光路長が等しい最適の状態になるまでに時間がかかり結果的に全体の計測時間が長くなってしまう、という上述の課題を解決する方法を開示したものではない。
【００１３】
本発明は、上記の課題を解決するためになされたものであって、短時間で、計測感度が最大となる測定光路長と参照光路長とが等しい状態になる新規な制御方法を備えた光干渉断層計を提供することを目的とする。
【課題を解決するための手段】
【００１４】
上記目的を達成するために、請求項１に記載の光干渉断層計は光源から出力された光を被検物に対し照射する測定光と参照物に照射する参照光とに分割し、被検物からの反射光と参照物からの透過光または反射光を合波して干渉光を生成する光干渉生成手段と、生成された干渉光を検出器により検出し、検出器による検出結果に基づいて、被検物の断層像を形成する形成手段を備えた光断層計であって、形成した断層像（Ａスキャンデータ又はＢスキャン像）の深さ方向の所定のピークを検出するピーク検出手段と、検出したピークの位置および強度に基づいて所定の測定光路長Ｔを算出する測定光路長算出手段と、干渉光学系の測定光路長と参照光路長が、算出した所定の測定光路長Ｔになるように、またはＴの近値を保つように、測定光路長の制御（Ｚ軸アライメント）と参照光路長の制御（参照ミラー移動）を同時に実施する制御手段を備えたことを特徴とする。
【００１５】
また、上記目的を達成するために、請求項２に記載の光干渉断層計は請求項１に記載の光干渉断層計であって、被検物は人の眼（眼球）であることを特徴とする。
【００１６】
また、上記目的を達成するために、請求項３に記載の光干渉断層計は請求項２に記載の光干渉断層計であって、所定のピークは、角膜上皮からの反射ピークであることを特徴とする。
【００１７】
また、上記目的を達成するために、請求項４に記載の光干渉断層計は請求項２に記載の光干渉断層計であって、所定のピークは、網膜色素上皮からの反射ピークであることを特徴とする。
【００１８】
また、上記目的を達成するために、請求項５に記載の光干渉断層計は請求項３に記載の光干渉断層計であって、所定の測定光路長Ｔは角膜の直前の位置までの光路長であることを特徴とする。
【００１９】
また、上記目的を達成するために、請求項６に記載の光干渉断層計は請求項４に記載の光干渉断層計であって、所定の測定光路長Ｔは網膜表面の位置までの光路長であることを特徴とする。
【００２０】
また、上記目的を達成するために、請求項７に記載の光干渉断層計は請求項２に記載の光干渉断層計であって、所定の測定光路長Ｔは、被検眼の眼軸長情報に基づいて設定することを特徴とする。
【００２１】
特徴的な干渉ピークを予め設定する。特徴的な干渉ピークは被検物の表面における干渉ピークを設定してもよい。一般に表面における干渉ピークは他に比べて強度が高いので検出しやすいためである。
【００２２】
被検物が人の眼（眼球）の場合、前眼部の光断層像を取得する場合は、角膜上皮における干渉ピークを、また、眼底部の光断層像を取得する場合は、網膜色素上皮における干渉ピークを検出するように設定してもよい。これらの位置における干渉ピークは他の位置と比較して強度が高いので検出しやすく、また正常眼での典型的なピーク形状がよく知られているためである。また、この干渉ピークは１本のＡスキャンデータだけでなく複数のＡスキャンデータ（つまりＢスキャン像）を対象としてもよい。
【００２３】
そして、ＯＣＴ撮影の前に予め設定した所定の反射面（例えば、上記の被検物の表面など）における干渉ピークが検出されるように、測定光路長又は／及び参照光路長を適宜調整し、検出した干渉ピークの位置から所定の測定光路長Ｔを算出して、測定光路長と参照光路長が共に光路長Ｔ又は近値になるように、測定光路長の調整（Ｚアライメント）と、参照光路長の調整（参照ミラー移動）を同時に実施するように制御する制御手段を備えているため、短時間で、計測感度が最大となる測定光路長と参照光路長とが等しい状態にすることができることから、効率よくＯＣＴ撮影ができるのである。
【００２４】
また、干渉ピーク検出を常時実施すれば、測定光路長の変動が適宜検出され、それに応じて両光路長の調整する制御を実施できることから、計測感度が最大となる測定光路長と参照光路長とが等しい状態を維持することも可能になるのである。
【００２５】
また、予め他の測定器を用いて被検眼の眼軸長の値が分かっている場合は、既知の被検眼の眼軸長の値に基づいて所定の測定光路長Ｔを算出してもよい。
【発明の効果】
【００２６】
上述のように、本発明によれば、光干渉断層計測において、短時間で計測感度が最大となる測定光路長と参照光路長とが等しい状態にすることができることから、効率よく高感度なＯＣＴ撮影ができるのである。
【図面の簡単な説明】
【００２７】
【図１】本発明に係る光干渉断層計の一実施例の光学系の構成を示した図である。
【図２】本発明に係る光干渉断層計の一実施例の装置全体の構成を示した図である。
【図３】本発明に係る光干渉断層計の一実施例の操作手順（フローチャート）を示した図である。
【図４】ＯＣＴによる３次元断層像の取得までのフローを説明する図である。
【図５】本発明のポイントであるゼロ点調整のフローを説明する図である。
【図６】本実施例に係る光干渉断層計のモニタに表示されたＯＣＴによる眼底の（ａ）Ｂスキャン像とエンファス像（３次元のＯＣＴデータから作成）の一例を示した図である。
【図７】本実施例に係る光干渉断層計のモニタに表示されたＳＬＯによる眼底の正面画像の一例を示した図である。
【図８】本発明に係る所定の測定光路長Ｔを求める方法の一実施例を説明した図である。
【発明を実施するための形態】
【実施例】
【００２８】
以下、本発明の一実施例に係る光干渉断層計について図面を参照して説明する。
[一実施形態]
図１には本発明に係る一実施例の光干渉断層計１の光学系の詳細を説明した図である。そして、図２には本発明に係る一実施例の光干渉断層計１の装置全体の構成を示した図である。尚、本実施例では被検物を人の眼（眼球）とし、取得する断層画像を眼底部としているが、本発明に係る方法はこれに限定されるものではなく、前眼部であってもいいし、生体の他の部位、例えば皮膚表面部であってもよい。さらに言えば、生体でない場合であっても、ＯＣＴを用いて断層画像を取得する装置であれば、適応可能であり、本発明による効果が得られることは言うまでもない。
【００２９】
光干渉断層計１には次の２つの光学系を備えている。被検眼Ｅの眼底の断層画像を干渉光の技術を用いて非侵襲で取得するための干渉光学系（以下、ＯＣＴ光学系）１００と、赤外光源２０１を用いて被検眼Ｅの眼底を照射し観察するための眼底ＳＬＯ画像を取得するスキャニングレーザーオフサルモスコープ（ＳＬＯ）光学系（以下、ＳＬＯ光学系）２００である。
【００３０】
各光学系についてその構成を以下に説明する。
（ＯＣＴ光学系１００）
ＯＣＴ光学系１００は光源１０１から干渉光をＡ／Ｄ変換するＡＤＣ１１６までで構成される。本実施例ではフーリエドメイン型のＯＣＴの１つである、光源１０１に波長掃引型光源を用いたＳＳ−ＯＣＴを採用している。ＳＳ−ＯＣＴはその測定原理から他のＯＣＴの方法と比較して高速に干渉信号（断層画像データ）を取得できる点で優位とされている。ＯＣＴ光学系１００は本実施例のＳＳ−ＯＣＴに限定されるものではなく、他のフーリエドメイン型のＯＣＴであるスペクトルドメインＯＣＴ（ＳＤ−ＯＣＴ）であってもよい。
【００３１】
光源１０１から出力された光はファイバーを通ってファイバーカプラ１０２により、コリメータレンズ１０３に入力する測定光とコリメータレンズ１１０に入力する参照光に分岐される。コリメータレンズ１０３に入力した測定光はフォーカスレンズ１０４、ガルバノミラー１０５、レンズ１０６、ダイクロイックミラー１０７及び対物レンズ１０９を通って被検眼Ｅの眼底部に照射される。そして、被検眼Ｅの眼底部から反射された測定光は、照射時とは逆に対物レンズ１０９、ダイクロイックミラー１０７、レンズ１０６、ガルバノミラー１０５、フォーカスレンズ１０４、コリメータレンズ１０３、ファイバーカプラ１０２を通り、ファイバーカプラ１１４の一方の入力部に入力する。
【００３２】
ファイバーカプラ１０２に分岐され、コリメータレンズ１１０に入力した参照光はプリズム１１２で反射されてコリメータレンズ１１１を通って、ファイバーカプラ１１４の他の一方の入力部に入力する。
【００３３】
ファイバーカプラ１１４に入力した測定光と参照光はファイバーカプラ１１４内で合波され干渉光としてバランス検出器１１５に入力して電気信号（干渉信号）に変換される。尚、ファイバーカプラ１１４から出力された２つの干渉光は互いに位相が１８０°異なる干渉光であり、この２つの干渉光がバランス検出器１１５に入力し差動増幅することにより、コモンノイズはキャンセルされ、干渉信号となる干渉光のみ増幅される。ここで、コモンノイズなどのノイズ成分の影響が低い場合は簡易な１入力の検出器などを採用してもよい。
【００３４】
バランス検出器１１５から出力された干渉信号はＡＤＣ１１６でデジタル信号としてサンプリングされ、ＣＰＵやメモリなどからなる演算部５００に入力し、フーリエ変換されて深さ方向の断層信号であるＡスキャンデータを取得し演算部５００内のメモリに記憶される。
【００３５】
プリズム１１２は制御部１１３により光軸上に移動し、参照光路長を変更調整可能に制御される。通常、ＯＣＴ撮影の前に参照光路長と測定光路長が同じ光路長になるように制御部１１３により移動し、測定中は固定される。
【００３６】
ガルバノミラー１０５は被検眼Ｅに対して水平（Ｘ軸方向）垂直（Ｙ軸方向）にスキャンするものであり、制御信号は演算部５００から入力される。ガルバノミラー１０５をＸ軸方向、Ｙ軸方向にスキャンすることにより被検眼Ｅの眼底部の３次元の断層画像が取得できるのである。
【００３７】
本実施例では、ダイクロイックミラー１０７は例えば９００ｎｍ以上の長波長の光（ＯＣＴ光源１０１からの光）は通過し、９００ｎｍより短い短波長の光（例えば８４０ｎｍ、ＳＬＯの光源からの光）は反射するように設定されている。ダイクロイックミラー１０７は上述の仕様に限定されるものではなく、使用する光源の波長により適宜設定すればいい。
【００３８】
上述のようにダイクロイックミラー１０７を用いて被検眼Ｅに照射され反射された２つの波長の異なる光（ＯＣＴ光、ＳＬＯ光）が適切に分割され、各々の測定を可能にしている。
【００３９】
図４は、ＯＣＴ光学系１００による断層像（Ｂスキャン像）を取得する様子を示したものである。図４（ａ）は被検眼Ｅの眼底網膜の一例を、図４（ｂ）は断層像取得部１００から取得して得られた眼底網膜４０１の複数の２次元断層像（Ｂスキャン像）の例を示している。そして、図４（ｃ）は本実施例にて生成された眼底部の３次元断層像の例を示している。尚、図４（ａ）〜（ｃ）のｘ軸はＢスキャンのスキャン方向を、ｙ軸はＣスキャンの方向を示す。更に、図４（ｂ）、（ｃ）のｚ軸はＡスキャン信号の奥行き方向、つまり眼底部の深さ方向を示す。実際に撮影しモニタに表示されたＯＣＴ画像を図６に示す。
【００４０】
（ＳＬＯ光学系２００）
ＳＬＯ光学系２００は、光源２０１からＡ／ＤコンバータであるＡＤＣ２１０までで構成される。通常、ＳＬＯ光源は８００〜９００ｎｍの赤外のレーザーダイオードを用いて眼底画像を非侵襲で取得する。尚、本実施例では８４０ｎｍのレーザーダイオードをＳＬＯ光源として採用している。ＳＬＯ光源についても、本実施例のレーザーダイオードに限定されるものではなく、他の光源、例えばＬＥＤであってもよい。
【００４１】
ＳＬＯ用の光源２０１から出力された測定光（他の測定光を区別するため、以下、ＳＬＯ測定光とする）はミラー２０４で反射される。ここで、眼底に照射する光と眼底から反射された反射光が同じ経路を辿る。そこで、照射光と反射光を分割するため、ミラー２０４は、所定の割合で反射と透過するハーフミラー又はビームスプリッタなどが採用される。光学系内の意図しない散乱や反射により生じるノイズ光が低減するため、ミラー２０４に偏光ビームスプリッタを採用してもよい。
【００４２】
よって、ＳＬＯ測定光の一部がミラー２０４により反射されてフォーカスレンズ２０３に入力し、その後スキャン装置２０８、レンズ２０２を通り、ダイクロイックミラー１０７に入力する。入力したＳＬＯ測定光はダイクロイックミラー１０７で反射し、対物レンズ１０９を通って被検眼の眼底に照射される。フォーカスレンズ２０３は眼底に照射されたＳＬＯ測定光が眼底上でフォーカスするよう光軸上で移動制御される。
【００４３】
眼底で反射されたＳＬＯ測定光は逆の経路で、対物レンズ１０９、ダイクロイックミラー１０７、レンズ２０２、スキャン装置２０８、フォーカスレンズ２０３を通ってミラー２０４に入力し、その一部がミラー２０４を透過してレンズ２０５に入力して集光後ピンホール２０６を通って光検出器２０７で受光し、電気信号に変換後ＡＤＣ２１０に入力する。
【００４４】
ここで、スキャン装置２０８は、上述のＯＣＴ光学系１００の中のガルバノミラー１０５と同様に、ＳＬＯ測定光を被検眼の眼底に対してＸ軸方向、Ｙ軸方向にスキャンするものであり、スキャン装置２０８により、ＳＬＯ測定光の照射位置を走査して眼底の正面画像データを取得できるようになっている。スキャン装置２０８は、ガルバノミラーに限定されるものではなく、ポリゴンミラーを用いてもよいし、ガルバノミラーとポリゴンミラーを複合した構成としてもよい。また、光検出器２０７は、例えば、アバランシェフォトダイオードや光電子増倍管などが採用される。
【００４５】
上述のように、眼底部をＸＹスキャンしてその反射光をＡＤＣ２１０でサンプリングし、演算部５００で信号処理することにより、被検眼Ｅの眼底の正面画像が取得できるのである。実際に撮影しモニタに表示されたＳＬＯ画像を図７に示す。
【００４６】
（操作手順）
次に、本実施例に係る光干渉断層計の操作手順について説明する。
【００４７】
図３は、本実施例における操作手順を説明したフローチャートである。
まず、Ｓ１０及びＳ１２でＯＣＴ撮影とＳＬＯ撮影を同時に、かつ、並列に実施する。（現段階では、光軸調整などを実施していないので、撮影されたＯＣＴ画像やＳＬＯ画像では本来撮影すべき眼底部の断層像や眼底像は取得されない。）
【００４８】
Ｓ１４では、上記２つの光学系が配置されたヘッド（ヘッド部とも言う）を被検眼に合わせる（以下、アライメントという）。アライメントは本体に備えた（図示しない）ジョイスティックなどを用いて実施される。一般的には被検眼の前眼部を映し出す（図示しない）モニタを見ながらアライメントされる。光軸に垂直な方向についてのアライメント（ＸＹアライメント）は容易であるが、光軸方向のアライメント（Ｚアライメント）については、モニタの被検眼画像のフォーカス具合が判断基準となり、一般的には最適の位置ではなく、その位置は測定光路長にも影響する。後述するが、測定光路長の調整過程を含むため、多くの場合、Ｓ１８のゼロ点調整と間断なく実施されることとなる。
【００４９】
本実施例では、Ｓ１６で、（図示しない）固視光学系を用いて固視灯を被検眼に対して照射し、これにより、被検眼を固視してアライメント（ヘッドを目に合わせる）を実施している。固視光学系は、一般的な眼科装置に備わっている固視光学系が採用可能である。Ｓ１６の被検眼固視のステップは、測定対象が人の眼の場合、測定中の被検眼の動きを抑えるために実施されるが、固視する必要がない場合や、対象が人の眼ではなく、皮膚表面の場合などは、Ｓ１６は省略できる。
【００５０】
次に、Ｓ１８でＯＣＴのゼロ点調整を行う。ＯＣＴ光学系の測定光路長であるファイバーカプラ１１４から被検眼の網膜の直前位置までの距離と、参照光路長であるファイバーカプラ１１４からプリズム１１２までの距離を一致させる。Ｓ１８におけるＯＣＴのゼロ点調整は本発明のポイントであるため、その詳細は後述する。
【００５１】
Ｓ１８でＯＣＴのゼロ点調整が完了したら、Ｓ２０でＳＬＯ光学系のフォーカス調整を行う。フォーカスレンズ２０３を光軸上で移動制御して光源２０１から照射されるＳＬＯ光が被検眼の眼底（網膜）上で焦点が合う（フォーカスする）ようにする。そして、この時得られた制御信号の値から被検眼の眼屈折力も算出され、本体内の記憶部に記憶される。
【００５２】
次に、Ｓ２２でＯＣＴのフォーカス調整を行う。フォーカス調整はフォーカスレンズ１０４を光軸上で移動させて撮影対象位置である眼底（網膜）にＯＣＴの光が焦点を結ぶようにフォーカスレンズ１０４を位置制御して実施する。
【００５３】
ＯＣＴのフォーカス調整が終了したら、Ｓ２４で「ｎ＝０」とする。本実施例の場合、３次元画像を取得するため、Ｂスキャンの位置を移動しながら複数枚のＢスキャン像を取得する。そのため、最初のＢスキャン像を０番目のＢスキャン像としてカウントする。
【００５４】
Ｓ２６でＯＣＴの撮影を開始する。本実施例のようなフーリエドメイン型のＯＣＴであるＳＳ−ＯＣＴの場合、深さ方向（Ｚ方向）のスキャンは必要ないため、ガルバノミラー１０５により、Ｘ方向又はＹ方向に一度スキャンすることにより、スキャンした範囲の複数のＡスキャンデータが取得できるため、本実施例の場合、以下、ＯＣＴ撮影とはＢスキャン撮影と同意として扱う。そして、ＯＣＴ撮影して得られた画像をＢスキャン像又はＢスキャン画像という。Ｂスキャン画像は、本実施例では眼底部の深さ方向の２次元断層（画）像である。そして、予め設定した枚数（つまり予め設定した枚数ｎ（final））を取得するまで、以下で説明するＳ２６〜Ｓ４０の操作をＢスキャンの位置を移動しながら繰り返し、取得した複数枚のＢスキャン像から３次元断層画像を取得することができるのである。
【００５５】
図３のフローには記載がないが、ＳＬＯ撮影はＯＣＴ撮影（Ｂスキャン撮影と同意）と並列して実施される。そして、ＳＬＯ撮影で取得したＳＬＯ画像から、眼底部の移動検出（Ｓ２８）を行い、Ｓ３０で眼底部の移動量を算出して、算出した眼底部の移動量に基づいてＳ３２でＯＣＴスキャンの位置を補正（変更）する。
【００５６】
Ｓ３２のＳＬＯ画像を用いたＯＣＴスキャンの位置補正（アイトラッキングと呼ぶこともある）は必ずしも必要ではない。本実施例の場合、被検物が人の眼であるため、固視されていても、固視微動などが常に生じ、取得したＯＣＴ画像にモーションアーチファクトが入りやすい。そのため、本実施例では上述のようなアイトラッキングを実施しているのであって、被検物が生体ではないような場合で、モーションアーチファクトを考慮しなくてもいい場合は、上記のようなアイトラッキングは必要ないため、Ｓ２８〜Ｓ３２の工程は削除できる。
【００５７】
ＯＣＴ撮影中もＳ３４により、予め設定した網膜色素上皮層などの所定の干渉ピークの位置検出は行われ、所定の干渉ピークの位置が移動したら（Ｙ）、Ｓ３６で、後述説明する算出された測定光路長ＴになるようにＺアライメントとプリズム１１２の移動を同時に行うように制御することができる。
【００５８】
もし、所定の干渉ピークの位置に移動がなければ（Ｎ）、Ｓ３８に進み、次のＯＣＴ画像を撮影する（Ｓ３８、ｎ＝ｎ＋１）。
【００５９】
もし、撮影した枚数が所定の数になったら（Ｓ４０、ｎ＞ｎ（final））、ＯＣＴの撮影は終了する。撮影した枚数が所定の数より少ない場合はＳ２６に戻ってＯＣＴ撮影を続ける。
【００６０】
ＯＣＴの撮影が終了したら、撮影された複数のＯＣＴ画像は演算部５００でフーリエ変換され、平滑処理などの画像処理がなされ、被検眼の眼底部の断層画像が記憶部に記憶させると共に、モニタなどに表示される。
【００６１】
（ＯＣＴのゼロ点調整）
ＯＣＴで取得される断層像の深さ幅（検出窓）は数ｍｍ程度と小さいことや、ＯＣＴの計測感度が測定光路長と参照光路長が等しい位置ほど高いことから、ＯＣＴ撮影したい位置に測定光路長を設定し、参照光路長をその測定光路長に等しくする（これを「ＯＣＴのゼロ点調整」とここでは記述する）ことは重要である。
【００６２】
従来はいくつかのステップを踏んで実施していたため、このゼロ点調整に時間がかかっていた。本発明に係る方法はこの問題を解決するものであり、図５を用いて本発明に係るゼロ点調整の方法を説明する。
【００６３】
Ｓ１００でヘッドを被検眼に対して前後方向に移動する前に、参照光路長を予め所定の距離に設定しておく。本実施例の場合、測定の対象が被検眼の眼底部であるため、ファイバーカプラ１１４からプリズム１１２までの距離である参照光路長の距離は、ファイバーカプラ１１４から被検眼の網膜の直前位置までの距離である測定光路長の距離に近い値に設定しておくことが望ましい。この測定光路長の距離は、ファイバーカプラ１１４から被検眼の角膜上皮位置までの距離と被検眼の眼軸長の和として求めることができる。ファイバーカプラ１１４から被検眼の角膜上皮位置までの距離は予め光学設計する際に設定した値を用いることができる。そして、被検眼の眼軸長は、他の装置で被検眼の眼軸長が測定されていれば、その値を用いることができるし、眼軸長が不明な場合は正常眼データの平均眼軸長の値である２４ｍｍを用いてもよい。このように、参照光路長の距離を予め適切な値に設定しておくことにより、Ｓ１０２における所定のピークの検出がされやすくなるのである。
【００６４】
そして、Ｓ１００でヘッドを被検眼に対して前後方向（Ｚ軸方向、光軸方向）に移動する。ＯＣＴ撮影による干渉信号を取得し、Ｓ１０２で、取得した干渉信号の中に予め設定した所定のピークを検出する。本実施例の場合、測定対象は被検眼の眼底部であるため、眼底部の中で比較的反射強度の高い網膜色素上皮層における干渉ピークを所定の干渉ピークとして設定し、この所定の干渉ピークが検出可能な閾値を予め設定し、その閾値を超える強度を持った干渉ピークを検出する方法を用いることができる。
【００６５】
Ｓ１０２で、所定の干渉ピークを検出したら（Ｙ）、Ｓ１０６の光路長Ｔを算出するステップに進む。検出できない場合（Ｎ）は、再度、Ｓ１００に戻り、ヘッドを被検眼に対して前後方向に移動する。Ｓ１００に戻る前に、上述のように予め設定した参照光路長の距離が適切でなかった場合、例えば、被検眼の眼軸長の値が正常眼データの平均眼軸長の値である２４ｍｍに比べ極端に異なっている場合は、Ｓ１０４で参照光路長の距離を変更する。Ｓ１０４の処理は、適宜実施すればいいのであり、必ずしも実施する必要はない。
【００６６】
Ｓ１０２で所定の干渉ピークを検出したら、Ｓ１０６で光路長Ｔを算出する。以下に検出した所定の干渉ピークから光路長Ｔを算出する方法を記述する。
【００６７】
図８は、本実施例における光路長Ｔを算出する方法を説明する図である。この場合、所定の干渉ピークは網膜色素上皮層のピークである。この時の参照光路長の距離をｄとすると、取得されるＯＣＴ画像データにおける所定のピークである網膜色素上皮層のピークの位置は参照光路長の距離ｄを始点とした位置であり、この始点から網膜色素上皮層のピークの位置までの距離をａとすると、ファイバーカプラ１１４から網膜色素上皮までの距離Ａは、ｄとａの和（ｄ＋ａ）として算出できる。ここで、ｄは既知であり、ａはＯＣＴ画像データから求めることができるので、この時点におけるファイバーカプラ１１４から網膜色素上皮までの距離ＡはＡ＝ｄ＋ａとして算出できる。
【００６８】
ここで算出したファイバーカプラ１１４から網膜色素上皮層までの距離Ａは、ファイバーカプラ１１４から被検眼の角膜上皮までの距離Ｚｄと角膜上皮から網膜色素上皮層までの距離ＡＬの和（Ａ＝Ｚｄ＋ＡＬ（＝ｄ＋ａ））でもある。
そこで、ヘッド位置を検出する（図示しない）位置センサからヘッド位置を求めることによりファイバーカプラ１１４から角膜上皮までの距離Ｚｄを算出して、先に算出したファイバーカプラ１１４から網膜色素上皮層までの距離ＡからＺｄを差し引くことにより、ＡＬが算出できる。（ＡＬ＝Ａ−Ｚｄ）
【００６９】
Ｓ１０６において求める光路長Ｔは本実施例では、眼底部の断層像を高感度で取得する測定光路長の距離であり、厳密に言えば、（Ｚアライメントが最適に調整された時の）ファイバーカプラ１１４から網膜の直前の位置までの最適な距離である。
【００７０】
Ｚアライメントが最適に調整された時のファイバーカプラ１１４から被検眼の角膜上皮までの距離をＺ０、網膜色素上皮層と（適宜設定される）網膜の直前の位置との距離をΔｔとすると、求める光路長ＴはＴ＝Ｚ０＋ＡＬ−Δｔとして算出できる。
【００７１】
以上のように、検出した所定（網膜色素上皮層）の干渉ピークから測定に適した光路長Ｔを求めることができるのである。尚、上述に係る光路長Ｔの算出方法は一実施例であって、上述した方法に限定するものではない。後述するような方法なども採用可能である。また、上記説明では、所定の干渉ピークを網膜色素上皮層としたが、勿論、これに限定するものではなく、被検眼によっては、他の層の方が最適な場合もある。つまり、所定の干渉ピークは対象となる被検眼に応じて、適宜設定すればよいのである。
【００７２】
Ｓ１０６で光路長Ｔを算出した後、図８（ｂ）に示すように、Ｓ１０８及びＳ１１０で測定光路長と参照光路長が光路長Ｔになるように、ヘッドＺ位置調整（Ｓ１０８）とプリズム１１２の移動（Ｓ１１０）を同時に実施する。
【００７３】
測定光路長と参照光路長が光路長Ｔになったら（Ｓ１１２）、ＯＣＴのゼロ点調整は完了し、このときの所定の干渉ピークの位置を記憶部に記憶しておき、この記憶した値に基づいて、上述のように、図３におけるＳ３４〜Ｓ３６のＯＣＴ撮影時の光路長制御に用いることができるのである。
【００７４】
または次のような実施も可能である。Ｓ１００でヘッドを被検眼に対してアライメントを開始するときは、安全性のためヘッドと被検眼の距離関係は測定時よりも遠くにあることが通例である。ヘッドが被検眼より十分遠い位置であるとして、参照光路長を予め装置の最大値に設定しておき、ヘッドを被検眼に近づける。すると被検眼に近づく途中で、例えば参照光路長と測定光路長が一致し、所定のピークを検出し、Ｓ１０６以降の処理を行うことができる。このようにすると前述のように眼軸長を予測することなしにゼロ点調整をスムーズに実施することができる。
【００７５】
または所定のピークは必ずしも測定対象の像に含まれなくてもよい。たとえば、所定のピークを網膜色素上皮層のピークのエイリアシングとすることもできる。エイリアシングであるかどうかは例えば強度の閾値やそのパターンなどが判断基準となる。この場合、エイリアシングが検出された（Ｓ１０２）位置は、網膜色素上皮層の位置と検出窓の深さ幅に関連する。それらの値を考慮したうえで光路長Ｔも算出可能である。このように測定対象の画像と測定光路長と参照光路長が一致しない場合でも、想定される所定のピークを適切に選択することで光路長Ｔの算出が可能であり、Ｓ１０６以降の処理を行うことができる。このような場合は、もちろん網膜色素上皮層そのものも、同時に所定のピークの１つとして同時に探索することができる。よって所定のピークは必ずしも１つのピークに限定されるものではない。
【００７６】
以上、本発明の実施形態について詳述してきたが、これらはあくまでも例示であって、本発明はかかる実施形態における具体的な記載によって、何等、限定的に解釈されるものでなく、当業者の知識に基づいて種々なる変更、修正、改良等を加えた態様において実施され得るものであり、また、そのような実施態様が、本発明の趣旨を逸脱しない限り、何れも、本発明の範囲内に含まれるものであることが、理解されるべきである。
【００７７】
例えば、上記実施例では、眼底正面画像取得のためＳＬＯを採用したが、ＳＬＯに限定されるものでななく、眼底カメラを採用してもよい。さらに言えば、ＯＣＴのＣスキャン画像から作成したエンファス像（図５（ｂ））を用いれば、ＳＬＯや眼底カメラのような眼底正面画像取得手段は、必ずしも必要ではない。このような場合、アイトラッキングを、例えば、別途、前眼部撮影光学系を配置し、取得した前眼部画像を用いて実施することも可能である。この前眼部撮影光学系は、眼底正面画像撮影光学系共に配置し、アイトラッキングを両方の撮影画像を用いて実施することも可能である。
【符号の説明】
【００７８】
１…本実施例の眼科装置、１００…ＯＣＴ光学系、１０１…光源、１０２…ファイバーカプラ、１０５…ガルバノミラー、１０７…ダイクロイックミラー、１１２…プリズム、２００…ＳＬＯ光学系、２０１…ＳＬＯ光源、２０４…ビームスプリッタ、２０８…ＳＬＯスキャン装置、３００…前眼部撮影光学系、３０３…ＣＣＤカメラ、５００…演算部、Ｅ…被検眼
【図１】
0006491540.tif 000002
【図２】
0006491540.tif 000003
【図３】
0006491540.tif 000004
【図４】
0006491540.tif 000005
【図５】
0006491540.tif 000006
【図６】
0006491540.tif 000007
【図７】
0006491540.tif 000008
【図８】
0006491540.tif 000009